(57)【要約】  【課題】  情報処理装置における放送視聴時に情報処理装置の電力残量が少ない場合に、情報処理装置上にデジタル放送を番組途中で表示できなくなるという不都合、及び情報処理装置が行うその他の処理ができなくなるという不都合を回避する。  【解決手段】  情報処理装置に接続されて使用され、１セグ放送信号及び１２セグ放送信号を受信する受信手段並びに１セグ放送信号及び１２セグ放送信号を前記情報処理装置に出力可能な放送信号出力手段を備えたチューナーモジュールと、前記情報処理装置における放送視聴時に前記情報処理装置のバッテリーの電力残量が所定量以下である場合、前記放送信号出力手段が出力した１セグ放送信号を用いて前記情報処理装置上に放送コンテンツの表示を行わせる表示制御手段とを有する。  【選択図】  図１
2008278084.tif 000002
【特許請求の範囲】
【請求項１】
情報処理装置に接続されて使用され、１セグ放送信号及び１２セグ放送信号を受信する受信手段並びに１セグ放送信号及び１２セグ放送信号を前記情報処理装置に出力可能な放送信号出力手段を備えたチューナーモジュールと、
前記情報処理装置における放送視聴時に前記情報処理装置のバッテリーの電力残量が所定量以下である場合、前記放送信号出力手段が出力した１セグ放送信号を用いて前記情報処理装置上に放送コンテンツの表示を行わせる表示制御手段とを有することを特徴とする地上デジタルテレビ放送受信装置。
【請求項２】
情報処理装置に接続されて使用され、１セグ放送信号及び１２セグ放送信号を受信する受信手段並びに１セグ放送信号及び１２セグ放送信号を前記情報処理装置に出力可能な放送信号出力手段を備えたチューナーモジュールと、
前記情報処理装置における放送視聴時に前記情報処理装置のバッテリーの電力残量が所定量以下である場合、前記放送信号出力手段が出力した１セグ放送信号を用いて前記情報処理装置上に放送コンテンツの表示を行うことを選択させるための選択画面を表示させる表示制御手段とを有することを特徴とする地上デジタルテレビ放送受信装置。
【請求項３】
前記表示制御手段は、前記情報処理装置における放送視聴時に前記情報処理装置のバッテリーの電力残量が所定量以下である場合、前記情報処理装置上において前記放送信号出力手段が出力した１セグ放送信号を用いた放送コンテンツの視聴を促すための報知を行わせることを特徴とする請求項２に記載の地上デジタルテレビ放送受信装置。
【請求項４】
前記表示制御手段は、前記情報処理装置における放送視聴時に商用電源から前記情報処理装置へ電力供給された場合、前記情報処理装置上に１２セグ放送信号を用いた放送コンテンツを表示させることを特徴とする請求項１乃至請求項３のいずれかに記載の地上デジタルテレビ放送受信装置。
【請求項５】
１セグ放送信号及び１２セグ放送信号を受信する地上デジタルテレビ放送受信手段と、
少なくとも放送コンテンツを表示するための表示手段と、
電力を供給するバッテリーとを備え、
前記表示手段による放送視聴時に前記バッテリーの電力残量が所定量以下である場合、前記表示手段に１セグ放送信号を用いた放送コンテンツを表示することを特徴とする情報処理装置。
【請求項６】
１セグ放送信号及び１２セグ放送信号を受信する地上デジタルテレビ放送受信手段と、
少なくとも放送コンテンツを表示するための表示手段と、
電力を供給するバッテリーとを備え、
前記表示手段による放送視聴時に前記バッテリーの電力残量が所定量以下である場合、前記表示手段に１セグ放送信号を用いた放送コンテンツの表示を行うことを選択させるための選択画面を表示させることを特徴とする情報処理装置。
【請求項７】
前記表示手段における放送視聴時に前記バッテリーの電力残量が所定量以下である場合、前記表示手段において１セグ放送を用いた放送コンテンツの視聴を促すための報知を行わせることを特徴とする請求項６に記載の情報処理装置。
【請求項８】
前記表示手段における放送視聴時に商用電源から前記情報処理装置へ電力供給された場合、前記表示手段に１２セグ放送信号を用いた放送コンテンツを表示させる請求項５乃至請求項７のいずれかに記載の情報処理装置。
【発明の詳細な説明】
【技術分野】
【０００１】
本発明は、地上デジタルテレビ放送受信装置及び地上デジタルテレビ放送受信手段を備えた情報処理装置に関し、特に、情報処理装置に接続されて１セグ放送信号と１２セグ放送信号を切り換えて表示することが可能な地上デジタルテレビ放送受信装置及び地上デジタルテレビ放送受信手段を備えた情報処理装置に関する。
【背景技術】
【０００２】
近年、情報処理装置（以下、「ＰＣ」という。）は、デジタル放送受信用のチューナーモジュールを接続する（別途、ＰＣのディスプレイ上でデジタル放送の視聴を可能にする制御プログラムがＰＣにインストールされる）ことで、ＰＣのディスプレイ上に放送番組コンテンツを表示させて視聴する、又は放送番組コンテンツをＨＤＤに録画することが一般的になっている。そして、現在、このチューナーモジュールにより１セグのデジタル放送又は１２セグのデジタル放送を受信することができる。
【０００３】
ここで、日本の地上デジタル放送方式では、1つのチャンネルが１３の「セグメント」に分割されている。そして、このセグメントの１つを使用して映像やデータ、音声などを伝送することにより放送を行うのが１セグの放送である。この１セグの放送は、帯域が狭く低解像度の映像（３２０ドット×１８０ドット）しか伝送できない。一方、１２のセグメントを使用して映像やデータ、音声などを伝送することにより放送を行う１２セグのデジタル放送によれば、高解像度のハイビジョン映像（１９２０ドット×１０８０ドット）を伝送することができる。
【０００４】
また、１セグのデジタル放送を受信する場合は、１３の「セグメント」のうちの１つのセグメントのみ受信すれば足り、低解像度の映像の処理で足りるため、ＰＣのディスプレイ上に放送番組コンテンツを表示するために必要な消費電力は小さい。一方、１２セグのデジタル放送を受信する場合は、１３の「セグメント」のうちの１２のセグメントを受信しなければならず、高解像度の映像を処理する必要があるため、ＰＣのディスプレイ上に放送番組コンテンツを表示するために必要な消費電力が大きい。
【特許文献１】特開２００６―７４６８６号公報
【発明の開示】
【発明が解決しようとする課題】
【０００５】
このように、１２セグのデジタル放送を受信すると、１セグのデジタル放送を受信する場合に比べ、電力を大きく消費するためにバッテリーで駆動するＰＣなどでは支障をきたすことがある。従って、商用電源から電力供給を受けておらず、且つＰＣが内蔵するバッテリーの電力残量が少ない状態でＰＣのディスプレイ上でハイビジョンのデジタル放送を継続して表示すれば、ＰＣが内蔵するバッテリーの電力残量が不足して、ＰＣのディスプレイ上においてデジタル放送を番組途中で表示できなくなったり、ＰＣが行うその他の処理ができなくなってしまう。
【０００６】
本発明は、このような問題に鑑みてなされたもので、ＰＣのバッテリーの電力残量が不足した場合に、ＰＣのディスプレイ上においてデジタル放送を番組途中で表示できなくなるという不都合や、ＰＣが行うその他の処理ができなくなるという不都合を回避することが可能な地上デジタルテレビ放送受信装置及びデジタル受信手段を備えた情報処理装置を提供することを目的とする。
【課題を解決するための手段】
【０００７】
本発明の地上デジタルテレビ放送受信装置は、情報処理装置に接続されて使用され、１セグ放送信号及び１２セグ放送信号を受信する受信手段並びに１セグ放送信号及び１２セグ放送信号を前記情報処理装置に出力可能な放送信号出力手段を備えたチューナーモジュールと、前記情報処理装置における放送視聴時に前記情報処理装置のバッテリーの電力残量が所定量以下である場合、前記放送信号出力手段が出力した１セグ放送信号を用いて前記情報処理装置上に放送コンテンツの表示を行わせる表示制御手段とを有することを特徴とする。
【０００８】
また、本発明の地上デジタルテレビ放送受信装置は、情報処理装置に接続されて使用され、１セグ放送信号及び１２セグ放送信号を受信する受信手段並びに１セグ放送信号及び１２セグ放送信号を前記情報処理装置に出力可能な放送信号出力手段を備えたチューナーモジュールと、前記情報処理装置における放送視聴時に前記情報処理装置のバッテリーの電力残量が所定量以下である場合、前記放送信号出力手段が出力した１セグ放送信号を用いて前記情報処理装置上に放送コンテンツの表示を行うことを選択させるための選択画面を表示させる表示制御手段とを有することを特徴とする。
【発明の効果】
【０００９】
本発明によれば、１セグ放送信号及び１２セグ放送信号を受信可能な地上デジタルテレビ放送受信装置が情報処理装置に接続される。そして、この情報処理装置においてバッテリー駆動によりデジタル放送を視聴する際に情報処理装置のバッテリーの電力残量が少ない場合には、地上デジタルテレビ放送受信装置の表示制御手段によって１セグ放送信号を用いた放送コンテンツを情報処理装置上に表示する。この場合、バッテリーの電力残量が少ない場合に情報処理装置によるデジタル放送の視聴を１２セグ放送と比べて消費電力の少ない１セグ放送により行うことになる。これにより、情報処理装置における放送視聴時であって情報処理装置の電力残量が少ない場合に、情報処理装置上にデジタル放送の放送コンテンツを番組途中で表示できなくなるという不都合、及び情報処理装置が行うその他の処理ができなくなるという不都合を回避することができる。
【００１０】
また、本発明によれば、１セグ放送信号及び１２セグ放送信号を受信可能な地上デジタルテレビ放送受信装置が情報処理装置に接続される。そして、情報処理装置のバッテリー駆動によりデジタル放送を視聴する際に情報処理装置のバッテリーの電力残量が少ない場合には、地上デジタルテレビ放送受信装置の表示制御手段によって１セグ放送信号を用いて情報処理装置上に放送コンテンツの表示を行うことを選択させるための選択画面を表示させる。そして、ユーザが１セグ放送信号を用いた放送コンテンツを選択することにより、１セグ放送信号を用いたコンテンツを前記情報処理装置上に表示することができる。この場合、情報処理装置によるデジタル放送の視聴を１２セグ放送と比べて消費電力の少ない１セグ放送により行うことになる。これにより、情報処理装置における放送視聴時であって情報処理装置のバッテリーの電力残量が少ない場合に、情報処理装置上にデジタル放送の放送コンテンツを番組途中で表示できなくなるという不都合や、情報処理装置が行うその他の処理ができなくなるという不都合を回避することができる。
【００１１】
また、本発明によれば、１セグ放送信号及び１２セグ放送信号を受信可能な情報処理装置において、バッテリー駆動によりデジタル放送を視聴する際に情報処理装置のバッテリーの電力残量が少ない場合には、１セグ放送信号を用いた放送コンテンツを表示手段に表示する。この場合、バッテリーの電力残量が少ない場合に情報処理装置によるデジタル放送の視聴を１２セグ放送と比べて消費電力の少ない１セグ放送により行うことになる。これにより、情報処理装置における放送視聴時であって情報処理装置の電力残量が少ない場合に、表示手段にデジタル放送の放送コンテンツを番組途中で表示できなくなるという不都合、及び情報処理装置が行うその他の処理ができなくなるという不都合を回避することができる。
【００１２】
さらに、本発明によれば、１セグ放送信号及び１２セグ放送信号を受信可能な情報処理装置において、情報処理装置のバッテリー駆動によりデジタル放送を視聴する際に情報処理装置のバッテリーの電力残量が少ない場合には、１セグ放送信号を用いて表示手段に放送コンテンツの表示を行うことを選択させるための選択画面を表示させる。そして、ユーザが１セグ放送信号を用いた放送コンテンツを選択することにより、１セグ放送信号を用いた放送コンテンツを表示手段に表示することができる。この場合、情報処理装置によるデジタル放送の視聴を１２セグ放送と比べて消費電力の少ない１セグ放送により行うことになる。これにより、情報処理装置における放送視聴時であって情報処理装置のバッテリーの電力残量が少ない場合に、表示手段にデジタル放送の放送コンテンツを番組途中で表示できなくなるという不都合や、情報処理装置が行うその他の処理ができなくなるという不都合を回避することができる。
【発明を実施するための最良の形態】
【００１３】
本実施例に係るチューナーモジュール１及びこのチューナーモジュール１が外付け接続されるＰＣ２の概略構成について図１を用いて説明する。ここで、チューナーモジュール１と、後に詳述する表示制御手段として機能してＬＡＮコントローラ２６からＰＣ２のＨＤＤ１８にインストールされてＰＣ２のＬＣＤディスプレイ２４上でのデジタル放送の視聴を可能にする制御プログラムとが同時に機能することにより、請求項１乃至請求項４の各々に記載された地上デジタルテレビ放送受信装置として機能する。
【００１４】
チューナーモジュール１は、ＰＣ２に外付け接続して使用されるものである。このチューナーモジュール１は、アンテナから入力されたデジタル放送信号を選局するためのチューナー部３を有する。チューナー部３が受信したデジタル放送信号には、１セグ放送信号と１２セグ放送信号が多重されている。そして、チューナモジュール１は、このチューナー部３より選局された信号を復調する復調部４と、この復調部４より復調された信号のスクランブルを解除するデスクランブル処理部５を有する。さらに、チューナモジュール１は、ＣＡＳ（Conditional Access System）方式のＩＣカード７から復号鍵を得て、この復号鍵をデスクランブル処理部５に出力するＩＣカードインタフェース８と、デスクランブル処理部５によりスクランブル解除された信号を暗号化する暗号化部６と、放送信号出力手段として機能して暗号化部６より暗号化された信号をＰＣ２に伝送するＵＳＢインタフェース１０と、接続されたＰＣ２との相互認証などのチューナーモジュール１における各種処理を行うＣＰＵ９と、チューナーモジュール１内でやり取りされる信号の伝送路となるローカルバス１１とを備える。
【００１５】
また、ＴＶアプリケーション制御用プログラムは、予めＬＡＮコントローラ２６からＰＣ２のＨＤＤ１８にインストールされる。このＴＶアプリケーション制御用プログラムは、ＰＣ２のＬＣＤディスプレイ２４上にてデジタル放送を視聴するための制御プログラムであり、ＰＣ２の主ＣＰＵ２１に下記にて詳述するようにＰＣ２のＬＣＤディスプレイ２４上にてデジタル放送を視聴する際の各種処理を実行させるものである。尚、ＴＶアプリケーション制御用プログラムは、後に詳述するが、１セグ放送信号を用いて情報処理装置上に放送コンテンツの表示を行わせる表示制御手段、及び１セグ放送信号を用いて情報処理装置上に放送コンテンツの表示を行うことを選択させるための選択画面を表示させる表示制御手段として機能する。
【００１６】
一方、ＰＣ２は、ＰＣ２内でやり取りされる信号の伝送路となるＰＣＩバス１２と、ＰＣＩバス１２を延長することができ多くのデバイスとＣＰＵ２１やメモリ１６、ＨＤＤ１８の接続を可能にするチップセット１７と、各種制御プログラムなどを記録するＨＤＤ１８、電力供給を行うバッテリー２０と、このバッテリー２０を制御してＰＣ２の電力制御などを行うＡＣＰＩ（Advanced Configuration and Power Interface）１５と、キーボード（マウス）１９、ＡＣＰＩ１５などを接続するＩ／Ｏコントローラ１４などを備えている。尚、後述する「手動表示モード」においては、選択画面表示時にキーボード（マウス）１９によって、１セグの放送信号を用いた番組放送コンテンツをＰＣ２のＬＣＤディスプレイ２４上に表示することを選択することができる。
【００１７】
また、ＰＣ２は、チューナーモジュール１のＵＳＢインタフェース１０から伝送された暗号化された信号を受け取るインタフェースコントローラ１３と、ＴＶアプリケーション制御用プログラムに従ってこの暗号化された信号の復号及びデコードなどを行う主ＣＰＵ２１と、デコードされた信号のうち映像に関する信号を用いてＬＣＤディスプレイ２４上に映像を表示させる表示コントローラ２２と、デコードされた信号のうち音声に関する信号を用いてスピーカ２５を駆動させる音声コントローラ２３とを有する。
【００１８】
以上詳述したように、前述の図１の場合には、チューナーモジュール１はＰＣ２に外付け接続されるが、図２のようにチューナーモジュール１の基本的な機能がＰＣ２に内蔵されてもよい。この図２の場合、前述の図１の場合と基本的な構成は共通するが（図２において図１と共通する構成には図１と同じ符号を付与している。）、前述の図１の場合のように、放送信号出力手段として機能してチューナーモジュール１の暗号化部６より暗号化された信号をＰＣ２に伝送するＵＳＢインタフェース１０を必要としない。
【００１９】
本実施例に係るＴＶアプリケーション制御用プログラムに従ったＰＣ２の主ＣＰＵ２１による放送番組コンテンツの表示処理について、図３及び図４のフローチャートを用いて説明する。
【００２０】
尚、ここで説明する表示処理は、図１に示すように、チューナーモジュール１がＰＣ２に外付け接続されている場合であるが、チューナーモジュール１の基本的機能がＰＣ２に内蔵されている場合の表示処理も同様である。また、放送信号の表示には、自動で表示する「自動表示モード」とユーザが表示を選択する「手動表示モード」があるが、これらのモードはＴＶアプリケーション制御用プログラムがＨＤＤ１８にインストールされた後の初期設定時において予めユーザに選択される。
【００２１】
１．「自動表示モード」について
図３は「自動表示モード」を示すフローチャート図である。初めに、ＰＣ２が起動された状態において、ユーザがマウス１９を用いてＰＣ２のＬＣＤディスプレイ２４上に表示されたＴＶアプリケーションファイルのアイコンをダブルクリックすることにより実行すると（Ｓ１１）、ＰＣ２の主ＣＰＵ２１は、ＴＶアプリケーション制御用プログラムに従って、ＡＣＰＩ１５を用いて商用電源から電力供給がある状態か否かをチェックする（Ｓ１２）。
【００２２】
チェックの結果、商用電源からの電力供給がある場合には（Ｓ１２でＹＥＳ）、ＰＣ２の主ＣＰＵ２１は、ＴＶアプリケーション制御用プログラムに従って、ＰＣ２のＬＣＤディスプレイ２４上に１２セグの放送信号を用いた放送番組コンテンツを表示する旨の報知表示を一定時間行い（Ｓ１３）、この後１２セグの放送信号を用いた放送番組コンテンツをＰＣ２のＬＣＤディスプレイ２４上に表示する（Ｓ１４）。
【００２３】
一方、チェックの結果、商用電源からの電力供給がない場合には（Ｓ１２でＮＯ）、ＰＣ２の主ＣＰＵ２１は、ＴＶアプリケーション制御用プログラムに従って、ＡＣＰＩ１５を用いてＰＣ２のバッテリー２０の電力残量をチェックし、バッテリー２０の電力残量が閾値Ａ以下であるか否かを判定する（Ｓ１５）。
【００２４】
判定の結果、バッテリー２０の電力残量が閾値Ａよりも多い場合には（Ｓ１５でＮＯ）、ＰＣ２の主ＣＰＵ２１は、ＴＶアプリケーション制御用プログラムに従って、ＰＣ２のＬＣＤディスプレイ２４上に１２セグの放送信号を用いた放送番組コンテンツを表示する報知表示を一定時間行い（Ｓ１３）、この後１２セグの放送信号を用いた放送番組コンテンツをＰＣ２のＬＣＤディスプレイ２４上に表示する（Ｓ１４）。
【００２５】
一方、判定の結果、バッテリー２０の電力残量が閾値Ａ以下である場合には（Ｓ１５でＹＥＳ）、ＰＣ２の主ＣＰＵ２１は、ＴＶアプリケーション制御用プログラムに従って、１セグの放送信号を用いた番組放送コンテンツをＰＣ２のＬＣＤディスプレイ２４に表示する旨の報知表示を一定時間し（Ｓ１６）、この後１セグの放送信号を用いた放送番組コンテンツをＰＣ２のＬＣＤディスプレイ２４上に表示する（Ｓ１７）。
【００２６】
そして、ユーザがＴＶアプリケーションファイルを閉じた場合には（Ｓ１８でＹＥＳ）、ＰＣ２の主ＣＰＵ２１は、ＴＶアプリケーション制御用プログラムに従った処理を終了し、ＰＣ２のＬＣＤディスプレイ２４上におけるデジタル放送の放送番組コンテンツの表示を終了する。
【００２７】
本実施例の「自動表示モード」によれば、１セグ放送信号及び１２セグ放送信号を受信可能なチューナーモジュール１が接続されたＰＣ２において、バッテリー２０による駆動によりデジタル放送を視聴する際にＰＣ２のバッテリー２０の電力残量が閾値Ａ以下である場合には、ＰＣ２の主ＣＰＵ２１は、ＨＤＤ１８にインストールしたアプリケーション制御用プログラムに従って、１セグ放送を用いた放送番組コンテンツをＰＣ２のＬＣＤディスプレイ２４上に表示する。この場合、ＰＣ２によるデジタル放送の視聴を１２セグ放送と比べて消費電力の少ない１セグ放送により行うことになる。これにより、ＰＣ２における放送視聴時であってＰＣ２の電力残量が少ない場合に、ＰＣ２のＬＣＤディスプレイ２４上にデジタル放送の放送番組コンテンツを番組途中で表示できなくなるという不都合、及びＰＣ２が行うその他の処理ができなくなるという不都合を回避することができる。
２．「手動表示モード」について
図４は、「手動表示モード」を示すフローチャート図である。初めに、ＰＣ２が起動された状態において、ユーザがマウス１９を用いてＰＣ２のＬＣＤディスプレイ２４上に表示されたＴＶアプリケーションファイルのアイコンをダブルクリックすることにより実行すると（Ｓ２１）、ＰＣ２の主ＣＰＵ２１は、ＴＶアプリケーション制御用プログラムに従って、ＡＣＰＩ１５を用いて商用電源から電力供給がある状態か否かをチェックする（Ｓ２２）。
【００２８】
チェックの結果、商用電源からの電力供給がある場合には（Ｓ２２でＹＥＳ）、ＰＣ２の主ＣＰＵ２１は、ＴＶアプリケーション制御用プログラムに従って、ＰＣ２のＬＣＤディスプレイ２４上に１２セグの放送信号を用いた放送番組コンテンツを表示する旨の報知表示を一定時間行い（Ｓ２３）、この後１２セグの放送信号を用いた放送番組コンテンツをＰＣ２のＬＣＤディスプレイ２４上に表示する（Ｓ２４）。
【００２９】
一方、チェックの結果、商用電源からの電力供給がない場合には（Ｓ２２でＮＯ）、ＰＣ２の主ＣＰＵ２１は、ＴＶアプリケーション制御用プログラムに従って、ＡＣＰＩ１５を用いてＰＣ２のバッテリー２０の電力残量をチェックし、バッテリー２０の電力残量が閾値Ａ以下であるか否かを判定する（Ｓ２５）。  
【００３０】
判定の結果、バッテリー２０の電力残量が閾値Ａよりも多い場合には（Ｓ２５でＮＯ）、ＰＣ２の主ＣＰＵ２１は、ＴＶアプリケーション制御用プログラムに従って、ＰＣ２のＬＣＤディスプレイ２４上に１２セグの放送信号を用いた放送番組コンテンツを表示する旨の報知表示を一定時間し（Ｓ２３）、この後１２セグの放送信号を用いた放送番組コンテンツをＰＣ２のＬＣＤディスプレイ２４上に表示する（Ｓ２４）。
【００３１】
一方、判定の結果、バッテリー２０の電力残量が閾値Ａ以下である場合には（Ｓ２５でＹＥＳ）、ＰＣ２の主ＣＰＵ２１は、ＴＶアプリケーション制御用プログラムに従って、図５に示すように、１セグの放送信号を用いた番組放送コンテンツをＰＣ２のＬＣＤディスプレイ２４上に表示することを促す選択画面の表示「内蔵バッテリーの電力残量が残り少なくなりました。１セグの放送で表示しますか  『はい』『いいえ』」を行う（Ｓ２６）。この際、図５に示すように、１２セグの放送信号を用いた放送番組コンテンツをあと何分表示可能かという表示可能時間（図５では３００秒）を選択画面に表示するようにしてもよい。
【００３２】
そして、ユーザがマウス１９を用いて『はい』をクリックすることにより１セグの放送信号を用いた番組放送コンテンツをＰＣ２のＬＣＤディスプレイ２４上に表示することを選択した場合には（Ｓ２７でＹＥＳ）、ＰＣ２の主ＣＰＵ２１は、ＴＶアプリケーション制御用プログラムに従って、１セグの放送信号を用いた放送番組コンテンツをＬＣＤディスプレイ２４に表示する（Ｓ２８）。
【００３３】
一方、例えば、ユーザが１２セグの放送信号を用いた放送番組コンテンツの表示可能時間を見て現在視聴中の番組がその時間内に終了しそうであると考え、ユーザがマウス１９を用いて『いいえ』をクリックすることにより１セグの放送信号を用いた放送番組コンテンツをＰＣ２のＬＣＤディスプレイ２４上に表示することを選択しなかった場合には、ＰＣ２の主ＣＰＵ２１は、ＴＶアプリケーション制御用プログラムに従って、ＰＣ２のＬＣＤディスプレイ２４上に１２セグの放送信号を用いた放送番組コンテンツを表示する旨の表示を一定時間し（Ｓ２３）、この後１２セグの放送信号を用いた放送番組コンテンツをＰＣ２のＬＣＤディスプレイ２４上に表示する（Ｓ２４）。
【００３４】
そして、ユーザがＴＶアプリケーションファイルを閉じた場合には（Ｓ２９でＹＥＳ）、ＰＣ２の主ＣＰＵ２１は、ＴＶアプリケーション制御用プログラムに従った処理を終了し、ＰＣ２のＬＣＤディスプレイ２４上におけるデジタル放送の放送番組コンテンツの表示を終了する。
【００３５】
本実施例の「手動表示モード」によれば、１セグ放送信号及び１２セグ放送信号を受信可能なチューナーモジュール１が接続されたＰＣ２において、バッテリー２０による駆動によりデジタル放送を視聴する際にＰＣ２のバッテリー２０の電力残量が閾値Ａ以下である場合には、ＰＣ２の主ＣＰＵ２１は、ＨＤＤ１８にインストールしたＴＶアプリケーション制御用プログラムに従って、１セグの放送信号を用いた番組放送コンテンツをＰＣ２のＬＣＤディスプレイ２４上に表示することを促す表示を行う。そして、ユーザが１セグ放送信号を用いた放送コンテンツをＰＣ２のＬＣＤディスプレイ２４上に表示することを選択した場合には、ＴＶアプリケーション制御用プログラムに従って、１セグ放送信号を用いた放送番組コンテンツをＰＣ２のＬＣＤディスプレイ２４に表示することができる。この場合、ＰＣ２によるデジタル放送の視聴を１２セグ放送と比べて消費電力の少ない１セグ放送により行うことになる。これにより、ＰＣ２における放送視聴時であってＰＣ２のバッテリー２０の電力残量が少ない場合に、ＰＣ２のＬＣＤディスプレイ２４上にデジタル放送の放送番組コンテンツを番組途中で表示できなくなるという不都合や、ＰＣ２が行うその他の処理ができなくなるという不都合を回避することができる。
【００３６】
尚、実施例においては、ＰＣ２のＬＣＤディスプレイ２４上に１２セグの放送信号（又は１セグの放送信号）を用いた放送番組コンテンツを表示する旨を、実際の放送番組コンテンツの表示前に所定時間表示するが、本発明はこれに限らず、実際の放送番組コンテンツの表示と同時に、ＰＣ２のＬＣＤディスプレイ２４に１２セグの放送信号（又は１セグの放送信号）を用いた放送番組コンテンツを表示する旨を小さく表示してもよい。
【００３７】
また、バッテリー２０の電力残量の判定の際に用いられる閾値Ａは、所定の電力値でもよいが、バッテリー２０の電力容量に対するバッテリー２０の現在の電力量残量の割合などであってもよい。
【図面の簡単な説明】
【００３８】
【図１】図１は、本実施例に係るチューナーモジュール１及びこのチューナーモジュール１が外付けされたＰＣ２の概略構成を示すブロック図である。
【図２】図２は、本実施例に係るチューナーモジュール１が内蔵されたＰＣ２の概略構成を示すブロック図である。
【図３】図３は、本実施例に係るＴＶアプリケーション制御用プログラムに従ったＰＣ２の主ＣＰＵ２１による放送番組コンテンツの自動表示処理を示すフローチャート図である。
【図４】図４は、本実施例に係るＴＶアプリケーション制御用プログラムに従ったＰＣ２の主ＣＰＵ２１による放送番組コンテンツの手動表示処理を示すフローチャート図である。
【図５】図５は、本実施例に係る１セグの放送信号を用いた番組放送コンテンツをＰＣ２のＬＣＤディスプレイ２４上に表示することを促す選択画面を示す図である。
【符号の説明】
【００３９】
１  チューナーモジュール
２  ＰＣ
１０  ＵＳＢインタフェース
２０  バッテリー
２４  ＬＣＤディスプレイ
【図１】
2008278084.tif 000003
【図２】
2008278084.tif 000004
【図３】
2008278084.tif 000005
【図４】
2008278084.tif 000006
【図５】
2008278084.tif 000007